(57)【要約】      （修正有）【課題】キャリーバッグの上に載置した荷物の固定および取り外しを迅速かつ簡単に行うことができ、軽量で嵩張らないキャリーバッグ用荷物固定具を提供する。  【解決手段】ハンドル部３１の背部からハンドル部３１の両側を通って手提げバッグ４０の下から前部に引き出し、さらに手提げバッグ４０の上部に回して、再びハンドル部３１の両側を通ってハンドル部３１の背部に戻す１本の紐材１を設ける。引き出したハンドル部３１の背部に戻った紐材１の両端がそれぞれ挿通される２つの挿通部と、この両挿通部の間に介在し紐材の挿通方向に遊動自在な固定部とを有する止め具２とを備え、前記紐材１の両端部をハンドル部３１の背部から後方に引きながら、止め具２をハンドル部３１に向かって近づけるに従って、固定部がハンドル部３１に向かって移動して紐材１を固定するようにした。【選択図】図４
0003173394.tif 000002
【実用新案登録請求の範囲】
【請求項１】
キャリーバッグの上に載置した荷物を、キャリーバッグの背部から上方に引き出したハンドル部に固定するための荷物固定具であって、
両端を、前記ハンドル部の背部から両側を通って前記荷物の下から前部に引き出し、さらに荷物の上部に回して、再びハンドル部の両側を通ってハンドル部の背部に戻す1本の紐材と、
引き出した前記ハンドル部の背部に戻った紐材の両端がそれぞれ挿通される２つの挿通部と、この両挿通部の間に介在し紐材の挿通方向に遊動自在な固定部とを有する止め具とを備え、
前記紐材の両端部を前記ハンドル部の背部から後方に引きながら、前記止め具をハンドル部に向かって近づけるに従って、前記固定部がハンドル部に向かって移動して紐材を固定するようにした、ことを特徴とするキャリーバッグ用荷物固定具。
【請求項２】
前記紐材は、前記止め具の２つの挿通部に挿通された状態で、両端が結ばれてループ状に形成されている請求項１に記載の荷物固定具。
【請求項３】
両端に紐材挿通孔を有する当て板をさらに備えた請求項１または２に記載の荷物固定具。
【考案の詳細な説明】
【技術分野】
【０００１】
本考案は、伸縮柱ハンドル部の付いたキャリーバッグの上面に置いた手提げバッグ等の荷物を簡単に固定および取り外しでき、軽量で嵩張らないキャリーバッグ用荷物固定具に関する。
【背景技術】
【０００２】
従来、キャリーバッグに手提げバッグ等の荷物を固定する際には、キャリーバッグの伸縮柱ハンドル部に外嵌できるようにした筒状カバーを持つキャリーバッグ用紐材（特許文献１）や、繋ぎ部材に取り付けられ係脱部材を備えた二組の保持バンドで固定する止め具（特許文献２）等、様々な荷物固定具が提案されてきた。
【０００３】
これらの荷物固定具は、未使用時には嵩張ることなくバッグ等に収納でき、しかもキャリーバッグへの荷物の取り付けおよび取り外しを迅速にかつ簡単に行えることが要望される。しかし、特許文献１、２に記載のような従来の荷物固定具は、このような要望をすべて満足させるものではなかった。
【先行技術文献】
【特許文献】
【０００４】
【特許文献１】特開２００９−２５４５６１号公報
【特許文献２】実用新案登録第３１６１８５０号公報
【考案の概要】
【考案が解決しようとする課題】
【０００５】
本考案は、キャリーバッグの上に載置した荷物の固定および取り外しを迅速にかつ簡単に行うことができ、しかも軽量で嵩張らないキャリーバッグ用荷物固定具を提供することを目的とする。
【課題を解決するための手段】
【０００６】
本考案者は、上記課題を解決すべく鋭意検討を重ねた結果、１本の紐材と特定の止め具を用いることにより、キャリーバッグへの荷物の着脱を迅速にかつ簡単に行うことができ、しかも軽く嵩張らず、携帯に便利な荷物固定具を提供できるという新たな事実を見出し、本考案を完成するに至った。
【０００７】
すなわち、本考案のキャリーバッグ用荷物固定具は、以下の構成を有する。  
（１）キャリーバッグの上に載置した荷物を、キャリーバッグの背部から上方に引き出したハンドル部に固定するための荷物固定具であって、
両端を、前記ハンドル部の背部から両側を通って前記荷物の下から前部に引き出し、さらに荷物の上部に回して、再びハンドル部の両側を通って伸縮柱ハンドル部の背部に戻す1本の紐材と、
引き出した前記ハンドル部の背部に戻った紐材の両端がそれぞれ挿通される２つの挿通部と、この両挿通部の間に介在し紐材の挿通方向に遊動自在な固定部とを有する止め具とを備え、
前記紐材の両端部を前記ハンドル部の背部から後方に引きながら、前記止め具をハンドル部に向かって近づけるに従って、前記固定部がハンドル部に向かって移動して紐材を固定するようにした、ことを特徴とするキャリーバッグ用荷物固定具。
（２）前記紐材は、前記止め具の２つの挿通部に挿通された状態で、両端が結ばれてループ状に形成されている（１）に記載の荷物固定具。
（３）両端に紐材挿通孔を有する当て板をさらに備えた（１）または（２）に記載の荷物固定具。
【考案の効果】
【０００８】
本考案の荷物固定具は、基本的に一本の紐材と一つの止め具とから構成されているので、嵩張らず軽量であり、不使用時は旅行鞄等に入れて携帯することができ、使用時にはハンドル部の付いたキャリーバッグの上に載置した手提げバッグ等の荷物を簡単に固定でき、取り外しも簡単である。
また、紐材に当て板を取り付けることにより、荷物を安定して伸縮柱ハンドル部に固定できる。
【図面の簡単な説明】
【０００９】
【図１】本考案に係るキャリーバッグ用荷物固定具の一実施形態を示す斜視図である。
【図２】図１に示す荷物固定具の止め具を示す平面図であり、（ａ）は紐材の挿通状態を、（ｂ）は紐材の固定状態をそれぞれ示す。
【図３】（ａ）、（ｂ）はそれぞれ図２（ａ）、（ｂ）に示す止め具の断面図である。
【図４】（ａ）〜（ｄ）は図１の荷物固定具を用いる荷物の固定方法を示す説明図である。
【考案を実施するための形態】
【００１０】
本考案の一実施形態に係る荷物固定具１０は、図１に示すように両端１ａ，１ｂが結ばれたループ状の紐材１と、この紐材１を挿通させた止め具２とを備え、さらに荷物を安定して固定するために広幅の当て板３を有する。
【００１１】
紐材１としては、例えば、各種合成繊維または天然繊維を撚り合わせ、または編んで得られた、径が２〜５ｍｍ程度のものが使用可能である。また、ゴムや合成樹脂製の紐材であっても良い。紐材１は伸縮性を有していてもよい。
【００１２】
紐材１は、図１に示すように当て板３の両端に設けた紐材挿通孔４を通り、さらに両端が止め具２に挿通され、両端１ａ,１ｂが結ばれてループ状に形成されている。
【００１３】
次に、止め具２を図２（ａ）、（ｂ）およびその断面図である図３（ａ）、（ｂ）を用いて説明する。図２（ａ）および図３（ａ）は、紐材１を固定していない挿通状態を示し、図２（ｂ）および図３（ｂ）は紐材１の固定時（締め付け時）の状態を示している。
【００１４】
止め具２は、前部に狭幅部Ｎを、後部に広幅部Ｗを備えた平面形状を有し中央部の表面に縦長の開口２３を有するケーシング２０と、このケーシング２０内に収容された固定部２１とを備え、固定部２１の上面にはつまみ２４が開口２３を経てケーシング２０の外に突設されている。従って、固定部２１は開口２３の長手方向に遊動自在である。
【００１５】
ケーシング２０は、図３（ａ）、（ｂ）に示すように、上板と下板とが両側部の壁部２５で一体に固定されており、狭幅部Ｎにある壁部２５の内壁面は、紐材１の固定時に紐材１を強固に保持するために凹凸状の粗面加工が施されている。
また、図３（ａ）、（ｂ）に示すように、固定部２１は、本体が円形またはだ円形に近い円盤状であり、両側面には紐材１の固定時に紐材１に喰い込む凹凸状の噛合部２２が形成されている。
【００１６】
図３（ａ）に示すように、紐材１の挿通状態では、固定部２１のうち最も径の大きい部位はケーシング２０の広幅部Ｗ内に位置している。それによって、ケーシング２０内の両側には紐材１の挿通部２６，２６が形成される。この状態では、紐材１は止め具２内を自由に通過可能である。  
【００１７】
一方、紐材１を固定する場合には、図２（ｂ）に示すように、狭幅部Ｎ側の挿通口から延びる紐材１を止め具２の挿通方向に対してほぼ直交する方向に引っ張ると（矢印で示す）、ケーシング２０内の紐材１の移動に連れられて固定部２１が狭幅部Ｎ側に移動する。これによって、固定部２１とケーシング２０の壁部２５とに紐材１が圧接されると共に、固定部２１の噛合部２２が紐材１に喰い込むことにより、紐材１は固定される。
【００１８】
紐材１の固定を解除する場合には、固定部２１のつまみ２４を指で押して、固定部２１をケーシング２０の広幅部Ｗに戻してやればよい。
このような止め具２としては、例えばＹＫＫ（株）製のコードストッパー、ＬＣ−ＷＦ（平型）が使用可能である。また、同社製のＬＣ−ＷＲ（丸型）を使用してもよい。
【００１９】
図１の荷物固定具１０に示された当て板３は、手提げバッグや荷物の形状を問わず、グラグラすることなく安定してバッグを固定するために使用される。当て板３の両端には紐材１がそれぞれ挿通される紐材挿通孔４が形成されており、自由に紐材１を移動させることが可能である。
【００２０】
当て板３の形状としては、長方形、円形、楕円形等が挙げられ、適宜使用される。また、接するバッグへの傷や押し付けた跡が残る事を和らげるという点から、例えば、長手方向に弓形に湾曲するような柔軟性を有するのが好ましい。
【００２１】
当て板３の素材としては、布、金属、木材、紙、プラスチック等が挙げられるが、バッグの表面を傷つけない物が好ましい。更に、当て板３は、紐材１から自由自在に取り外し可能となるように、面ファスナーやボタン等を用いて紐材１から着脱可能にしてもよく、必要に応じて、図示しない小物収納袋等を設置してもよい。
【００２２】
次に、本考案の荷物固定具の使用方法を、図４（ａ）〜（ｄ）を用いて説明する。
まず図４（ａ）に示すように、キャスタ３２を備えたキャリーバッグ３０の背部から略コ字形の伸縮式ハンドル部３１を上方に引き出し、ループ状に結ばれた荷物固定具１０の紐材１をハンドル部３１に引っ掛ける。すなわち、紐材１を、前記ハンドル部３１の２本の平行な棒状部３３の背部から両側を通ってキャリーバッグ３０の前部側に引き出す。
【００２３】
次に、図４（ｂ）に示すように、手提げバッグ等の荷物４０をキャリーバッグ３０の上部に載置する。このとき、紐材１を荷物４０の下から前部に引き出しておく。
【００２４】
しかる後、図４（ｃ）に示すように、紐材１を荷物４０の上部に回して、再びハンドル部３１の両側を通ってハンドル部３１の背部に戻す。このとき、ハンドル部３１の背部には、止め具２があり、当て板３は荷物４０の前面に位置している。
【００２５】
この状態で、図４（ｄ）に示すように、紐材を前記ハンドル部の背部から後方に引きながら、止め具２をハンドル部に向かって近づけ、さらに押し込む。これによって、止め具２は、図３（ｂ）に示すように、固定部２１がハンドル部に向かって移動して紐材１が固定され、荷物４０はしっかりとキャリーバッグ３０の上に保持される。  
【００２６】
一方、荷物４０をキャリーバッグ３０の上から取り出す場合には、前記と逆の操作を行えばよい。これにより、キャリーバッグ３０からの荷物４０の取り出しも簡単に行うことができる。
【００２７】
荷物４０をキャリーバッグ３０の上から取り出した後は、荷物固定具１０を荷物等に入れておけばよく、嵩張らず、軽量であるので、旅行等に携帯するのに便利である。
【符号の説明】
【００２８】
１  紐材
２  止め具
３  当て板
４  紐材挿通孔
１０  荷物固定具
２０  ケーシング
２１  固定部
２２  噛合部
２３  開口
２４  つまみ
２５  壁部
２６  挿通部
３０  キャリーバッグ
３１  ハンドル部
３２  キャスタ
４０  荷物（手提げバッグ）
【図１】
0003173394.tif 000003
【図２】
0003173394.tif 000004
【図３】
0003173394.tif 000005
【図４】
0003173394.tif 000006